(57)【特許請求の範囲】
【請求項１】
接地板に２枚の軸受板を平行に立設してなる固定ベースと、固定ベースに直立して固着される直立フレームと、前記直立フレームに取り付けられる背板と、下端部を前記軸受板の間に回動自在に軸支される起倒フレームと、前記起倒フレームに取り付ける可撓性被覆材とからなり、前記起倒フレームは、起倒を操作する操作用フレームと、前記操作用フレームと直立フレームとの間に配設される複数の中間フレームとからなり、前記操作用フレームの下端部には取付軸を挿入する長孔を設けると共に、中間フレーム側に斜めに切り落とした傾斜面を形成し、操作用フレーム及び中間フレーム相互間に間隙を設けて、中間フレームは、中間フレームの下端面と接地板との間に隙間を設け、前記軸受板の間に軸支し、前記軸受板の内部には、操作用フレームと中間フレームとの間にストッパーを設けることにより、展開状態においては、操作用フレームがほぼ水平状態となり、中間フレームは下端が互いに係止することによって傾斜角度を規制するようにしたことを特徴とする簡易ゴミ置場。
【請求項２】
中間フレームを軸支する取付軸は、ほぼ水平に設けられていることを特徴とする請求項１に記載の簡易ゴミ置場。
【請求項３】
操作用フレームは、直立させたとき、下端部に設けた長孔の下面と取付軸との間に間隔を有するように軸支されていることを特徴とする請求項２記載の簡易ゴミ置場。
【請求項４】
操作用フレームに設けた突起が、直立フレームに操作用アームに向かって設けたアームの凹部に係合するようにしたことを特徴とする請求項１〜３にいずれか１項に記載の簡易ゴミ置場。
【請求項５】
中間フレームは操作用フレームよりも小径のパイプにより形成したことを特徴とする請求項１〜４のいずれか１項に記載の簡易ゴミ置場。
【請求項６】
中間フレームは操作用フレームよりも小径のパイプにより形成し、さや管を用いて軸支したことを特徴とする請求項１〜４のいずれか１項に記載の簡易ゴミ置場。
【請求項７】
中間フレームは操作用フレームよりも小径のパイプにより形成し、さや管を用いて軸支し、軸受板には水抜孔を設けたことを特徴とする請求項１〜４のいずれか１項に記載の簡易ゴミ置場。
【請求項８】
中間フレームは操作用フレームよりも小径のパイプにより形成し、さや管を用いて軸支し、軸受板には水抜孔を設けるとともに、可撓性被覆材は補助フレームを介して操作用フレーム及び直立フレームに取り付けられていることを特徴とする請求項１〜４のいずれか１項に記載の簡易ゴミ置場。
【請求項９】
可撓性被覆材をネットとしたことを特徴とする請求項８に記載の簡易ゴミ置場。
【発明の詳細な説明】
【０００１】
【発明の属する技術分野】
この発明は、各家庭から持ち出される生ゴミ等の一般ゴミを一時的に貯留しておく簡易ごみ置場に係り、詳しくは、使用しないときには折り畳んで置くことができ、使用するときに引き出してネットを立体的に組み立てて一般ゴミを覆うゴミ収納空間を形成することができるようにした折り畳み自在な簡易ゴミ置場に関する。
【０００２】
【従来の技術】
各家庭の生ゴミ等の一般ゴミは、所定の回収日に所定の場所に一時貯留されて、ゴミ回収業者によって回収されるが、生ゴミ等には、残飯等のカラス、猫、犬等の餌となるものが含まれているために、単に貯留しておくだけでは食い散らかされてしまい、周囲に飛散するばかりでなくゴミ収集の際に迅速な作業ができなくなる。
【０００３】
このような被害は、ゴミ収集を行っている各自治体に共通な問題となっており、特に、大都市においては、看過し難いものとなっている。カラスの場合には、ゴミを飛散させるばかりでなく子供など比較的弱い者を襲うこともあり、危険でもある。そこで、例えば、特開２０００−２８９８０３号公報に記載されているように、直立姿勢になっているパレットを引いて水平姿勢にするだけで、折り畳まれていた面状部材によってゴミ収納空間を形成することができる折り畳みゴミ収納装置が提案されている。
【０００４】
上記公報記載の折り畳みゴミ収納装置は、フレーム枠に対して一辺側を不動端とし他辺側を揺動端として、直立姿勢と水平姿勢の間を揺動するパレットと、このパレットにつれて同じく直立姿勢と水平姿勢の間を揺動し、外側に可撓性の面状部材を取り付けた複数本の内骨材を設けてなり、内骨材を直立姿勢にしたときに、内骨材に取り付けた面状部材を内骨材内に収納し、パレットを水平姿勢に倒したときに、複数本の内骨材を介して前記面状部材を展開することによってゴミ収納空間を形成するようにしたものである。
【０００５】
【発明が解決しようとする課題】
しかしながら、上記折り畳みゴミ収納装置には、次のような問題がある。すなわち、内骨材に対応する揺動軸は、衝立板の下端部の傾斜に沿って相互に階段状に近接配置されており、互いに独立して揺動するように構成されている。そして、最初の１本を水平姿勢とし最後の１本を直立姿勢として、残る内骨材を等角度に振り分けた状態で、可撓性の面状部材を前記各内骨材に周囲から囲むようにして取り付け、面状部材は適度に緊張するように設定されている。
【０００６】
このように、内骨材の振り分け角度は、一体に固定した面状部材の緊張によって保持されているから、パレット及び内骨材の直立姿勢と水平姿勢とを繰り返すことにより、面状部材と内骨材との取り付け部分に過度の負担がかかって外れたり、面状部材自体が破損するおそれがある。
【０００７】
また、パレットの直立姿勢は、軸受板に取り付けたフック金具をパレットの裏面に設けた接地ステーに係止することによって固定されているので、水平姿勢にするには、フック金具を接地ステーから解除して引き出さなければならない。従って、片手で押さえながら、フック金具の係止、解除の操作をしなければならないと共に、引き出すと同時にパレット、内骨材及び面状部材が一気に倒れることになり、慎重に引き下ろさなければならない。
【０００８】
また、直立姿勢で取り付ける衝立て板と軸受板は、一対の脚ベースに取り付けられているために、面状部材及び内骨材を折り畳み状態にした場合でも、脚ベースの先端部は突出することになり、通行障害となったりつまずいて怪我をするおそれもある。
【０００９】
この発明は、かかる現況に鑑みてなされたもので、操作が簡単で、しかも耐久性に優れた簡易ゴミ置場を提供するものである。
【００１０】
【課題を解決するための手段】
この発明は上記目的を達成するために次のような構成とした。この発明に係る簡易ゴミ置場は、接地板に２枚の軸受板を平行に立設してなる固定ベースと、平行な軸受板の間に直立して固着される直立フレームと、前記直立フレームに取り付けられる背板と、下端部を前記軸受板の間に回動自在に軸支される起倒フレームと、前記起倒フレームに取り付ける可撓性被覆材とからなる。そして、前記起倒フレームは、起倒を操作する操作用フレームと、前記操作用フレームと直立フレームとの間に配設される複数の中間フレームとからなり、前記操作用フレームの下端部には取付軸を挿入する長孔を設けると共に、中間フレーム側に斜めに切り落とした傾斜面を形成してなり、操作用フレーム及び中間フレーム相互間に隙間を設けるとともに、中間フレームは、中間フレームの下端面と接地板との間に間隔を設けて前記軸受板の間に軸支し、前記軸受板の内部には、操作用フレームと中間フレームとの間にストッパーを設けることにより、展開状態においては、操作用フレームがほぼ水平状態となり、中間フレームは下端が互いに係止することによって傾斜角度を規制するようにしたことを特徴とする。このように構成することによって、可撓性被覆材によってではなく、中間フレーム自体によって傾斜角度が規制され、可撓性被覆材に過度の負担をかけることがない。
【００１１】
操作用フレームは、直立させたときに下端面が接地板に当接するように軸支されており、中間フレームを軸支する各取付軸は、ほぼ水平に設けてなる。また、操作用フレームを設けた前記突起が操作用フレームに向かって直立フレームに設けたアームの凹部に係合するようにすることが好ましい。これによって、二重のロック構造とすることができる。
また、中間フレームは操作用フレームよりも小径のパイプにより形成した場合には、さや管を用いて軸支することが好ましい。これによって、スムーズに起倒させることができる。また、軸受板には水抜孔を設けてもよい。可撓性被覆材は補助フレームを介して操作用フレーム及び直立フレームに取り付け、ネットにより形成することが好ましい。
【００１２】
【発明の実施の形態】
以下に、この発明を図示する実施形態に基づいて詳細に説明する。簡易ゴミ置場は、固定ベース１０，背板を有する直立フレーム２０、起倒自在なフレーム３０、前記固定ベース１０，及び可撓性被覆材４０とからなる。なお、図１は、不使用時に折り畳んだ状態を示す正面図、図２は、被覆材を取り外した状態の側面図である。
【００１３】
前記固定ベース１０は、接地される水平な接地板１１の側端に沿って平行な軸受板１２、１２を立設することによって構成されており、前記接地板１１と軸受板１２、１２によって凹状の溝１３が形成されている。図３，４に示す通り、前記凹状溝１３の一端側に直立フレーム２０が立設され、前記凹状溝１３内に下端部を挿入された起倒フレーム３０が回動自在に軸支される。
【００１４】
前記軸受板１２、１２の間隔は、前記直立フレーム２０及び起倒自在な起倒フレーム３０の下端部が挿入できる幅寸法を有していればよい。前記接地板１１には、軸受板１２、１２を立設した側端とは反対側の側端に沿ってアンカー孔１４が設けられており、軸受板１２、１２には水抜孔１５が設けられている。また、前記凹状溝１３内には、ストッパー１６が設けられている。前記ストッパー１６は、後述する操作フレームを水平状態に倒したときに、直立フレーム２０側へスライドするのを防止するとともに、操作フレームを垂直状態に起立させたときに、操作フレームが倒れるのを防止するものである。
【００１５】
前記直立フレーム２０は、パイプ材を略コ字状に屈曲させて形成されており、下端部が前記凹状溝１３の端部に溶接等によって一体に固着されている。直立フレーム２０は、固定ベース１０の接地板１１に対してほぼ直立した状態で固着されており、直立フレーム２０の内面側または裏面側に直立フレー２０の内側を閉じる背板２１を一体に取り付けてなる。
【００１６】
前記直立フレーム２０の垂直部の内側面には、高さ方向において中間部よりやや上方に、図５に示すように、アーム２２が起倒フレーム３０方向に設けられている。前記アーム２２は、起倒フレーム２０を折り畳み状態に保持するものであって、先端上面に凹部２２ａが形成されている。
【００１７】
また、前記直立フレーム２０の起倒フレーム３０と対向する面には、起倒フレーム３０を折り畳んだ状態で直立フレーム２０に近接したとき、起倒フレーム３０に押圧力を与える弾性体２３が設けられている。弾性体２３は、起倒フレーム３０を押圧するものであればよく、コイルバネ、板バネ、ゴム等任意のものを用いることができる。
【００１８】
前記弾性体２３は、起倒フレーム３０を折り畳んで直立フレーム２０に近接したときは、起倒フレーム３０と直立フレーム２０との間で圧縮された状態となっているが、後述するように、起倒フレーム３０の操作用フレーム３１による前記アーム２２とのロックが解除されると、弾性体２３による押圧力によって起倒フレーム３０は押し出されることになるから、起倒フレーム３０を引き出すことなく支えながら展開状態とすることができる。従って、起倒フレーム３０の操作を容易に、しかも安全に行うことができる。
【００１９】
次に、起倒フレーム３０は、一番手前の操作用フレーム３１と、前記操作用フレーム３１と直立フレーム２０との間に配置される中間フレーム３２，３３，３４からなる。前記操作用フレーム３１は、直立フレーム２０とほぼ同径寸法のパイプによって形成されており、中間フレーム３２，３３，３４は、直立フレーム２０及び操作用フレーム３１よりも小さな径寸法のパイプによって形成されている。
【００２０】
操作用フレーム３１の下端部には、取付軸３５を挿通する長孔３１ａが軸方向に設けられており、中間フレーム３２側には、斜めに切り落とした傾斜面３１ｂが形成されている。前記長孔３１ａによって、操作用フレーム３１を起立させたとき上下動が可能となる。また、傾斜面３１ｂによって、取付軸３５と中間フレーム３２の取付軸との段差を小さくしてほぼ水平にすることができ、従って、軸受板１２、１２の高さを低く押さえることができる。
【００２１】
操作用フレーム３１は、その下端部を前記軸受板１２、１２の間に挿入し、長孔３１ａに軸受板１２、１２に軸支する取付軸３５を挿通することによって、固定ベース１０に回動自在に取り付けられる。取付軸３５は、操作用フレーム３１を直立させたとき、操作用フレーム３１の下端面が接地板１２に載置するとともに、長孔３１ａの下端面との間に間隔を有するように軸受板１２、１２に挿入されている。
【００２２】
また、操作用フレーム３１の垂直部の内側面には、上述のアーム２２の凹部２２ａに係止する突起３１ｃが突設されている。前記突起３１ｃは、操作用フレーム３１を直立状態に起立させながら持ち上げてほぼ直立状態で降ろしたときに、操作用フレーム３１の下端面が接地板１２に載置するとともに、突起３１ｃが前記凹部２２ａに係止するように構成されている。
【００２３】
中間フレーム３２，３３，３４は、互いが僅かに離れていると共に、中間フレーム３２は操作用フレーム３１と、中間フレーム３４は直立フレーム２０と、それぞれ僅かに離れて配設されている。また、中間フレーム３２，３３，３４の下端面は、接地板１１から浮いた状態で取付軸３６によって軸受板１２、１２に軸支されている。前記各取付軸３６は、ほぼ水平に配設されており、中間フレーム３２，３３，３４を展開状態に倒したとき、各下端が係止するように、下端面は接地板１１から所定寸法離れている。
【００２４】
従って、前記操作用フレーム３１及び中間フレーム３２，３３，３４を直立した折り畳み状態から倒すと、図６に示すように、中間フレーム３４の下端が直立フレーム２０に係止してその傾斜角度が規制され、同様にして、中間フレーム３３の下端が中間フレーム３４に係止してその傾斜角度が規制され、中間フレーム３２の下端が中間フレーム３３に係止してその傾斜角度が規制される。一方、操作用フレーム３１は、傾斜面３１ｂによって中間フレーム３２と係止することはなくほぼ水平状態まで倒すことができる。
【００２５】
前記中間フレーム３２，３３，３４は、上記のように下端部が互いに係止するするばかりでなく、反対側のフレームに寄り掛かる状態となって傾斜角度が規制されることになる。前記取付軸３６を中間フレーム３２，３３，３４の下端部に挿通して軸受板１２、１２に軸支するには、図４示すように、さや管３７が用いられている。前記さや管３７によって、中間フレーム３２，３３，３４のガタを防止することができる。
【００２６】
次に、可撓性被覆材４０の取り付け構造について説明する。可撓性被覆材４０は、各種のネット、ビニールシート、防水布等の可撓性を有するものであって、前記中間フレーム３２，３３，３４を取り囲むように被覆され、直立フレーム２０と操作用フレーム３１では補助フレーム４３を介して一体に取り付けられている。直立フレーム２０と操作用フレーム３１における補助フレーム４３は同一とすることができるから、操作用フレーム３１側についてその構成を説明し、直立フレーム２０側の補助フレームについてはその説明を省略する。
【００２７】
補助フレーム４３は、図８，９に示すように、先端部を湾曲させた垂直部４４、４４と、前記垂直部４４、４４の間に配置する水平部４５を連結管４６によって連結してなる。前記連結管４６を、例えば垂直部４４、４４の先端部に固着すると共に、内部に押しバネ４７を装着してなり、組み立てるには、水平部４５の端部を前記連結管４６の一方にバネ４７に抗して挿入し、次いで、水平部４５の他端部を他方の連結管４６方向に戻すことによって挿入し連結すればよい。
【００２８】
前記補助フレーム４３は、クリップ５０によって操作フレーム３１に取り付けられる。前記クリップ５０は、図１０に示すように、バネ性を有する針金により形成してなり、補助フレーム４３を通す環５１と、操作用フレームの内面に係止する係止部５２、５２とからなる。前記クリップ５０を操作用フレーム３１に取り付けるには、図１１に示すように、操作用フレーム３１に適宜の間隔で差込孔３１ｄを設け、前記差込孔３１ｄにクリップ５０の係止部５２、５２を差し込んで係止させればよい。係止部５２を重ねるようにして差込孔３１ｄに差し込めば、操作用フレーム３１の内部で拡がって係止するから抜き取ることはできない。
【００２９】
そして、各種ネットを操作用フレーム３１に取り付けるには、まずネットの端縁を操作用フレーム３１に重ね、次いで、取り付ける垂直部４４の先端部をネットの端縁のうち環５１と環５１の間に位置する編み目に通し、次いで環５１に通し、さらに次の環５１と環５１の間に位置する編み目に通し、これを繰り返して垂直部４４を挿通することによって、各種ネットが垂直部４４を介して操作用フレーム３１に取り付けられる。水平部４５も垂直部４４と同様にしてネットの端縁とクリップ５０の環５１に通すことによって、ネットを操作用フレーム３１に取り付けることができる。
【００３０】
垂直部４４と水平部４５を連結するには、水平部４５の一方端を押しバネ４７に抗しながら連結管４６に差し込んた後、戻しながら水平部４５の他端を他方の連結管４６に差し込めば、両連結管４６内の押しバネ４７、４７によって押圧されているから、抜け落ちることがなく一体に連結される。また、一方側に押しつければ他端が連結管４６から引き抜かれることになり、水平部４５を簡単に取り外すことができる。このようにして簡単にネットを取り付けることができると共に、破損したネットの取り替えも容易に行うことができる。
【００３１】
上記構成における簡易ゴミ置場を使用するには、操作用フレーム３１の前方の地面に一般ゴミをおき、操作用フレーム３１を持ち上げて、突起３１ｃと係止アーム２２の凹部２２ａとの係止状態を解除すれば、中間フレーム３４が弾性体２３の押圧力によって押し出されるから、操作用フレーム３１を支えながら水平状態に倒せばよい。このとき、中間フレーム３２，３３，３４は、各下端がそれぞれ係止しながら、反対側では載置することになるので傾斜角度が規制される。
【００３２】
上記の通り、中間フレーム３２，３３，３４は、可撓性被覆材４０の緊張によって傾斜角度が規制されるのではないから、可撓性被覆材４０との連結部分や可撓性被覆材４０自体に過度の負担を与えることがない。このように、操作用フレーム３１を倒すのみで展開状態となり、各フレームによってゴミ収納空間が形成されることになる。上記展開状態において、一般ゴミを追加収納するには、操作用フレーム３１を持ち上げて地面との間を開口させ、この開口部分から投入すればよい。
【００３３】
起倒フレーム３０の展開状態においては、操作用フレーム３１のステー３１ｄを接地させることにより、地面との間に隙間が形成されるので、手を挟むことがなく、また、操作用フレーム３１を持ち上げるときの手の差し込み隙間となる。
【００３４】
また、収納された一般ゴミを回収する際、または回収後に折り畳み状態とするには、操作用フレーム３１を引き起こして起立させ、さらに、操作用フレーム３１を持ち上げながら弾性体２３に抗して引き下ろせばよい。操作用フレーム３１の下端部の長孔３１ａの下面と取付軸３５との間に間隔が形成されているから、操作用フレーム３１を持ち上げることができ、引き下ろしたときには突起３１ｂが凹部２２ａに係止すると共に、下端部がストッパー１６に当接しているから、倒れることがない。
【００３５】
上記の通り、折り畳み状態においては、突起３１ｃが凹部２２ａに係止していることと、ストッパー１６によって二重にロックされているから、何らかの理由によって突起３１ｃと凹部２２ａとの係止が解除されても起倒フレーム３０が倒れて展開状態となることはない。また、折り畳み状態においては、前方に突出する部分はないから、通行の邪魔になることもなく、交通を妨げることもない。
【００３６】
【発明の効果】
上記説明から明らかなように、この発明の簡易ゴミ置場によれば、折り畳み状体から操作用フレームを引き出すだけで、簡単に可撓性被覆材で覆われたゴミの収納空間を形成することができる。ゴミの収納空間を形成する起倒フレームの傾斜角度は、可撓性被覆材の緊張によって規制されるのではなく、取付軸より下部が互いに係止することによって規制される。従って、展開状態への操作、折り畳み状態への操作が簡単で、かつ安全に行うことができる。また、、可撓性被覆材との取り付け部分に過度の負担がかかることがなく、可撓性被覆材の損傷を防止することができる。
【００３７】
また、専有面積が小さいので、狭い場所に固定しても交通の妨げとなることがない。しかも、前方に突出する部分はないから安全に通行することができる。さらに、折り畳み状態においては、操作用フレームの突起がアームの凹部に係止し、さらに、操作用フレームを下端部に設けた長孔によって上下動可能とし、ストッパーに当接させる構成としたので、二重のロック構造により安全に使用することができる。
【図面の簡単な説明】
【図１】この発明の実施形態を示す折り畳み状態の正面図である。
【図２】可撓性被覆材を省略した折り畳み状態の側面図である。
【図３】同じく下端部の要部を拡大した断面側面図である。
【図４】同じく折り畳み状態の要部断面図である。
【図５】アームによる係止状態を示す側面図である。
【図６】展開状態における要部を拡大した断面側面図である。
【図７】操作用フレームの接地状態を示す要部の側面図である。
【図８】操作用フレームと補助フレームとの取り付け状態を示す正面図である。
【図９】補助フレームを示す一部を省略した断面正面図である。
【図１０】クリップを示す正面図である。
【図１１】操作用フレームと補助フレームとの取り付け状態を示す断面図である。
【符号の説明】
１０：固定ベース
１１：接地板
１２：軸受板
１３：凹状溝
１４：アンカー孔
１５：水抜孔
１６：ストッパー
２０：直立フレーム
２１：背板
２２：アーム
２２ａ：凹部
２３：弾性体
３０：起倒フレーム
３１：操作用フレーム
３１ｂ：傾斜面
３１ｃ：突起
３１ｄ：ステー
３１ｅ：差込孔
３２，３３，３４：中間フレーム
３５，３６：取付軸
３７：さや管
４０：可撓性被覆材
４３：補助フレーム
４６：連結管
４７：押しバネ
５０：クリップ
５１：環
【図１】
0003615531.tif 000002
【図２】
0003615531.tif 000003
【図３】
0003615531.tif 000004
【図４】
0003615531.tif 000005
【図５】
0003615531.tif 000006
【図６】
0003615531.tif 000007
【図７】
0003615531.tif 000008
【図８】
0003615531.tif 000009
【図９】
0003615531.tif 000010
【図１０】
0003615531.tif 000011
【図１１】
0003615531.tif 000012